(57)【要約】【課題】  移動端末が、移動中もしくは圏外の場合は、電話着信を停止し、移動端末が、圏内で停止している場合は音声メッセージを送信する移動端末を提供する。【解決手段】  端末自身の移動速度を検出する速度検出部を有する移動端末と、音声着信時に発信者の音声メッセージを保存し所定のタイミングで音声メッセージを移動端末に配信する音声録音配信装置とを有し、所定のタイミングは、移動端末が移動中の場合には、移動端末への音声メッセージの配信を停止し、移動端末が停止している場合には、音声メッセージを配信する。【選択図】      図１
2015119346.tif 000002
【特許請求の範囲】
【請求項１】
端末自身の移動速度を検出する速度検出部を有する移動端末と、
音声着信時に発信者の音声メッセージを保存し所定のタイミングで音声メッセージを前記移動端末に配信する音声録音配信装置と、
を有し、
前記所定のタイミングは、前記移動端末が移動中の場合には、前記移動端末への前記音声メッセージの配信を停止し、前記移動端末が停止している場合には、前記音声メッセージを配信することを特徴とする音声メッセージ配信システム。
【請求項２】
前記移動端末が停止していて、かつ電波の受信圏内の場合に、前記音声録音配信装置が音声メッセージまたは音声メッセージ保存通知を配信することを特徴とする請求項１に記載の音声メッセージ配信システム。
【請求項３】
前記音声録音配信装置は、前記移動端末から一定周期で通知される前記移動端末の移動状態を保持する端末情報保持部を有することを特徴とする請求項１または２に記載の音声メッセージ配信システム。  
【請求項４】
前記音声録音配信装置の前記端末情報保持部は、通知される前記移動端末の移動状態が一定期間通知されない場合は、前記移動端末が電波の受信圏外であると判定することを特徴とする請求項１から３に記載の音声メッセージ配信システム。
【請求項５】
移動端末が端末自身の移動速度を検出するステップと、
音声着信時に発信者の音声メッセージを保存し所定のタイミングで音声メッセージを前記移動端末に配信するステップと、
前記移動端末が移動中の場合は、前記移動端末への前記音声メッセージの配信を停止するステップと、
前記移動端末が停止していて、かつ電波の受信圏内の場合に、前記音声録音配信装置が音声メッセージまたは音声メッセージ保存通知を配信するステップと、
を有することを特徴とする音声メッセージ配信方法。
【請求項６】
基地局との通信を行う送受信部を備えた移動端末において、
前記移動端末の移動速度を検出する速度検出部と、
前記移動端末の移動状態を一定周期で通知するよう前記送受信部を制御する制御部と、を有することを特徴とする移動端末。
【請求項７】
音声着信時に発信者の音声メッセージを録音する音声録音部と、
録音した前記音声メッセージを保存する音声保存部と、
移動端末の移動情報及び在圏情報を保存する端末情報保持部と、
前記移動端末が移動中の場合は、前記移動端末への前記音声メッセージの配信を停止し、前記移動端末が停止していて、かつ電波の受信圏内の場合に、音声メッセージまたは音声メッセージ保存通知を配信するよう制御する制御部と、
を有することを特徴とする音声録音配信装置。
【発明の詳細な説明】
【技術分野】
【０００１】
本発明は、音声メッセージ配信システムに関し、特に移動中の移動端末へ音声メッセージを配信する音声メッセージ配信システム、音声メッセージ配信方法、移動端末、及び、音声録音配信装置に関する。
【背景技術】
【０００２】
移動中の電話着信に対しては、利用者が手動でドライブモード等に切り替えることで、着信があった場合は、留守番電話サービスへの切り替えを行い留守番電話として録音する技術がある。近年では、安全性の観点から自動でドライブモードに切り替わる技術も開示されている。
【０００３】
特許文献１には、移動中のドライブモードの切り替えについては、移動端末の移動速度を検出することにより自動で切り替え、電話着信時に端末内部に音声メッセージを録音する方法が開示されている。
【先行技術文献】
【特許文献】
【０００４】
【特許文献１】特開２００６−２３８０９０号公報
【発明の概要】
【発明が解決しようとする課題】
【０００５】
特許文献１では、音声メッセージを移動端末内部に記録するため、移動端末が圏外の状態では着信ができず音声メッセージの録音ができないという問題があった。
【０００６】
本発明の目的は、上述した課題を解決し、移動端末が、移動中もしくは圏外の場合は、電話着信を停止し、移動端末が、圏内で停止している場合は音声メッセージを送信する移動端末を提供することにある。
【課題を解決するための手段】
【０００７】
本発明は、端末自身の移動速度を検出する速度検出部を有する移動端末と、音声着信時に発信者の音声メッセージを保存し所定のタイミングで音声メッセージを移動端末に配信する音声録音配信装置とを有し、所定のタイミングは、移動端末が移動中の場合には、移動端末への音声メッセージの配信を停止し、移動端末が停止している場合には、音声メッセージを配信することを特徴としている。
【０００８】
また、本発明は、移動端末が端末自身の移動速度を検出するステップと、音声着信時に発信者の音声メッセージを保存し所定のタイミングで音声メッセージを移動端末に配信するステップと、移動端末が移動中の場合は、移動端末への音声メッセージの配信を停止するステップと、移動端末が停止していて、かつ電波の受信圏内の場合に、音声録音配信装置が音声メッセージまたは音声メッセージ保存通知を配信するステップとを有することを特徴としている。
【０００９】
また、本発明は、基地局との通信を行う送受信部を備えた移動端末において、移動端末の移動速度を検出する速度検出部と、移動端末の移動状態を一定周期で通知するよう送受信部を制御する制御部とを有することを特徴としている。
【００１０】
また、本発明は、音声着信時に発信者の音声メッセージを録音する音声録音部と、録音した音声メッセージを保存する音声保存部と、移動端末の移動情報や在圏情報を保存する端末情報保持部と、移動端末が移動中の場合は、移動端末への音声メッセージの配信を停止し、移動端末が停止していて、かつ電波の受信圏内の場合に、音声メッセージまたは音声メッセージ保存通知を配信するよう制御する制御部とを有することを特徴としている。
【発明の効果】
【００１１】
本発明の効果は、移動端末が移動中もしくは圏外の場合は、電話着信を停止し、移動端末が圏内で停止している場合は、音声メッセージを送信することができ、移動端末利用者が移動端末を利用できるタイミングで音声メッセージを確認することが可能となることである。
【図面の簡単な説明】
【００１２】
【図１】本発明の実施の形態における音声メッセージ配信システムの構成を示すブロック図である。
【図２】本発明の実施の形態における移動端末の構成を示すブロック図である。
【図３】本発明の実施の形態における音声録音配信装置の構成を示すブロック図である。
【図４】本発明の実施の形態における移動端末の動作を示すフローチャートである。
【図５】本発明の実施の形態における音声録音配信装置の動作を示すフローチャートである。
【図６】本発明の実施の形態における音声録音配信装置の動作を示すフローチャートである。
【図７】本発明の実施の形態における音声録音配信装置の動作を示すフローチャートである。
【発明を実施するための形態】
【００１３】
以下、本発明の実施の形態について図面を参照して詳細に説明する。
（実施の形態）
図１から図３を用いて、本発明の実施の形態の構成について説明する。
【００１４】
図１は、本発明の実施の形態の音声メッセージ配信システムを示すブロック図である。図１において、移動端末１は、速度検出部３を備えている。そして、移動端末１と音声録音配信装置１０１との間で、移動状態を通知するデータや音声データ等をやり取りする。なお、移動端末１と音声録音配信装置１０１との間には、基地局および制御局（いずれも図示しない）が介在して各種データを伝送する。
【００１５】
図２は、本発明の実施の形態における移動端末の構成を示すブロック図である。図２において、移動端末１は、基地局との通信を行う送受信部２、移動端末の移動速度を検出する速度検出部３、着信音や着信ランプ等で音声メッセージの受信を通知する受信通知部４、および上記機能を制御する制御部５を備える。
【００１６】
図３は、本発明の実施の形態の音声録音配信装置の構成を示すブロック図である。図３において、音声録音配信装置１０１は、移動端末１との通信を行う送受信部１０２、発信者に対する案内ガイダンスを再生するガイダンス再生部１０３、音声メッセージを録音する音声録音部１０４、録音された音声メッセージを保存する音声保存部１０５、移動端末の移動状態、圏外・圏内状態、および保存された音声メッセージと移動端末を紐付ける端末情報保持部１０６、各部を制御する制御部１０７を備える。
【００１７】
移動端末１は、待ち受け中の受信信号のフェージングピッチ（周期）の検出を用いて移動しているか停止しているかの端末移動状態判定を一定周期で実施する。検出したフェージングピッチが小さければ、移動速度が速く、フェージングピッチが大きければ移動速度が遅いと検出する。検出した移動速度が、予め設定された閾値（例えば時速２０ｋｍ／ｈ）よりも大きいか小さいかで移動中かどうか判定する。端末移動状態判定にて移動端末１が移動中と判定された場合は、音声録音配信装置１０１に移動端末１が移動中であることを通知する。端末移動状態判定にて移動端末１が停止中と判定された場合は、音声録音配信装置１０１に端末が停止中であることを通知する。
【００１８】
音声録音配信装置１０１は、移動端末１から一定周期で通知される移動端末１の移動状態を装置内部の端末情報保持部１０６に保存する。また、移動端末１から移動状態通知が一定期間通知されない場合は、移動端末１が圏外と判断し、移動状態と合わせて端末情報保持部１０６に保存する。移動端末１に対して、他の端末から音声着信が来た場合、音声録音配信装置１０１は、端末情報保持部１０６の圏外・圏内および移動状態を参照し、端末が圏外もしくは移動中である場合は発信者に対して着信側端末が移動中である旨のガイダンスを流し、音声メッセージを録音する。
【００１９】
移動端末１の停止の通知を受け取った場合は、録音した音声メッセージを移動端末１に配信する。移動端末１は、音声録音配信装置１０１からの音声メッセージ受信時に、スピーカーの鳴動や着信ランプの点灯などにより使用者に通知する。尚、移動端末が移動していても通話可能な場合は、移動端末の設定で本案の機能を設定しないようにすればよい。
【００２０】
次に、図４〜図７を用いて、本発明の実施の形態の動作について説明する。
【００２１】
図４は、本発明の実施形態の移動端末の動作を示すフローチャートである。移動端末１は、速度検出部３において、待ち受け中一定周期で、制御チャネルのフェージングピッチ検出により自端末が移動中か停止中かを検出する（Ｓ１１）。その後、圏内・圏外チェックを実施し自端末が圏内である場合は（Ｓ１２のＹｅｓ）、送受信部２を経由して音声録音配信装置１０１に通知する（Ｓ１３）。
【００２２】
図５は、本発明の実施形態の音声録音配信装置１０１において、音声着信は無くて、移動端末１から端末移動状態であることを受信した時の動作を示すフローチャートである。図５において、音声録音配信装置１０１は、移動端末１から端末移動状態を受信すると（Ｓ１４）、通知された端末移動状態と通知時刻を端末情報保持部１０６に保存する（Ｓ１５）。
【００２３】
図６は、音声着信時の音声録音配信装置の動作を示すフローチャートである。図６において、移動端末１に対して音声着信があると（Ｓ１６）、端末情報保持部１０６に設定された端末移動状態と通知時刻を参照する（Ｓ１７）。
【００２４】
そして、移動端末１が圏外か圏内かを判定し（Ｓ１８）、移動中・停止中の判定を行う（Ｓ１９）。圏外・圏内の判定では、移動端末１からの通知時刻と現在時刻に一定時間（数分〜十数分程度）以上のずれがある場合は圏外（Ｓ１８のＹｅｓ）、一定時間未満であれば圏内と判断する（Ｓ１８のＮｏ）。
【００２５】
圏外・圏内判定にて圏内と判定され、かつ端末移動状態が移動中である場合は（Ｓ１９のＹｅｓ）、発信者に対して着信者が圏外もしくは移動中のため着信できない事と音声メッセージを録音する旨の案内ガイダンスを再生する（Ｓ２１）。
【００２６】
案内ガイダンス再生後、音声録音部にて発信者の音声メッセージを録音し（Ｓ２２）、録音した音声を音声保存部１０５に保存し音声回線を終了する。また、移動端末の電話番号、保存した録音音声情報を端末情報保持部１０６に保存する。圏外・圏内判定にて圏内と判定され、かつ端末移動状態が停止中である場合は（Ｓ１９のＮｏ）、移動端末１に接続する（Ｓ２０）。
【００２７】
図７は、移動端末１が停止した場合の動作を示すフローチャートである。移動端末１は、図６に示した移動端末１の速度検出にて停止していると判断された場合、音声録音配信装置１０１に対して停止中であることを通知する。音声録音配信装置１０１は、移動端末１から停止中の通知を受信すると（Ｓ３１）、端末情報保持部１０６を検索し、該当する移動端末１の録音音声の有無を確認する（Ｓ３２）。録音音声があった場合（Ｓ３２のＹｅｓ）、音声保存部１０５から録音音声を取得し（Ｓ３３）、移動端末１へ音声メッセージを配信する（Ｓ３４）。
【００２８】
移動端末１は、音声メッセージを受信すると（Ｓ３５）、移動端末内部のメモリに音声メッセージを保存し（Ｓ３６）、受信通知部４にて着信音の鳴動および、着信ランプの点灯などの着信通知処理を実施する（Ｓ３７）。
【００２９】
以上の動作により、移動端末が、移動中もしくは圏外の場合は、電話着信を停止し、移動端末が、圏内で停止している場合は音声メッセージを送信する移動端末を提供することができる。
【００３０】
尚、本願発明は、上述の実施の形態に限定されるものではなく、本願発明の要旨を逸脱しない範囲で種々変更、変形して実施することが出来る。
【００３１】
たとえば、移動端末の移動速度の検出において、移動端末の位置を測定できるＧＰＳ（Ｇｌｏｂａｌ  Ｐｏｓｉｔｉｏｎｉｎｇ  Ｓｙｓｔｅｍ）等の位置測定システムを備える場合は、この位置測定システムによって移動速度を得るようにしてもよい。
【００３２】
なお、移動速度の閾値は２０ｋｍ／ｈを一例に挙げたが、車両の移動を確実に判断することができる移動速度であれば限定される必要はなく、１５ｋｍ／ｈ〜３０ｋｍ／ｈの範囲で設定するのが好ましい。
【００３３】
また、音声メッセージの配信は、移動端末の停止検出時ではなく音声保存時に行い、停止検出時に音声メッセージではなく音声メッセージを保存したという通知だけを端末に配信し、ユーザが聞きたいときに端末を操作して音声メッセージを聞くようにしてもよい。
【００３４】
さらに、音声メッセージは、通話機能を持たない端末に対して送信することも可能である。この場合、音声録音配信装置は、ネットワーク経由で音声ファイルを送信し、端末では音声メッセージの受信の通知および音声ファイルの再生のみ実施するようにすればよい。
【産業上の利用可能性】
【００３５】
本発明は、安全性を高めた移動端末に利用可能である。
【符号の説明】
【００３６】
１    移動端末
２    送受信部
３    速度検出部
４    受信通知部
５    制御部
１０１    音声録音配信装置
１０２    送受信部
１０３    ガイダンス再生部
１０４    音声録音部
１０５    音声保存部
１０６    端末情報保持部
１０７    制御部
【図１】
2015119346.tif 000003
【図２】
2015119346.tif 000004
【図３】
2015119346.tif 000005
【図４】
2015119346.tif 000006
【図５】
2015119346.tif 000007
【図６】
2015119346.tif 000008
【図７】
2015119346.tif 000009